(57)【特許請求の範囲】
【請求項１】
前方が開口したキャビネット本体の上部にシンクが設けられ、キャビネット本体内にシンクからの排水を導く排水トラップと排水管が配設された流し台キャビネットの構造において、
キャビネット本体の前面が、このキャビネット本体内に出し入れ自在に収納される一対の引出しの前板で開閉されるようになされ、かつ、この一対の引出しは、上記排水管を挟んだ位置に収納されるように配置されたことを特徴とする流し台キャビネットの構造。
【請求項２】
前方が開口したキャビネット本体の上部にシンクが設けられ、キャビネット本体内にシンクからの排水を導く排水トラップと、この排水トラップとエルボー管を介して連結された排水管とが配設された流し台キャビネットの構造において、
キャビネット本体の前面が、このキャビネット本体内に出し入れ自在に収納される一対の引出しの前板で開閉されるようになされ、かつ、この一対の引出しは、上記排水トラップの下方で隣合って収納されるように配置されたことを特徴とする流し台キャビネットの構造。
【請求項３】
引出し上方のキャビネット本体の内側壁に沿って、このキャビネット本体内に出し入れ自在に収納される収納棚が設けられたことを特徴とする請求項１または２記載の流し台キャビネットの構造。
【発明の詳細な説明】
【０００１】
【発明の属する技術分野】
本発明は、上部にシンクが設けられ、内部が収納部となされた流し台キャビネットの構造に関する。
【０００２】
【従来の技術】
従来、この種の流し台キャビネットでは、その前面に観音開き式に開放される一対の扉が設けられ、その内部を収納部としていた。しかしこの観音開き式の扉を設けたものは、キャビネット本体の内奥部に収納している物の出し入れが困難であり、特にキャビネット本体内の前側に嵩張るものを収納した場合には、一度、これを取り出してからでないと、その奥に位置した目的物の出し入れができないという問題点があった。
【０００３】
また、この観音開き式の扉は、左右の扉の位置がずれたり、その間に隙間を生じたりし易く、その場合、見苦しいばかりか、キャビネット本体内の収納部の密閉性が悪くなり、ここから内部に虫などが侵入するおそれがあり、衛生面においても問題があった。
【０００４】
そこで、この点を改善するために、図６並びに図７に示すようにキャビネット本体２０の前面を覆う前面板を引出し２１の前板２１ａとした引出し式のものが、近年、普及してきている。
【０００５】
これは、キャビネット本体２０の内部の両側（図６において左右両側）に、一対の伸縮式のスライドレール２２，２２を取り付け、このスライドレール２２，２２の移動側に、上面が開放された引出し２１を固定保持させることにより、引出し２１をキャビネット本体２０内に出し入れ自在に収納するようにしたものである。
【０００６】
なお、この場合は、シンク２３からの排水を導く排水管２５は、図７に示すようにエルボー管２６を介してシンク２３の下側に取り付けられた排水トラップ２４の下端屈曲部２７に連結され、キャビネット本体２０の内部後側（図７において右側）に配置されている。従って、引出し２１は、キャビネット本体２０内に収納された時、その後部２１ｃが、排水トラップ２４の下側に位置するようになっている。
【０００７】
また、この他に、図８に示すように排水トラップ２４の下方に垂直に排水管２５を取り付けたものもあり、この場合は、キャビネット本体３０内に収納される引出し３１は、必然的にその奥行き寸法が短くなっている。
【０００８】
なお、図中、符号２１ｂは、引出しの前板２１ａに取り付けられた操作用の把手、２８は、キャビネット本体２０（３０）の前面の開口の上側に取り付けられた幕板を示す。
【０００９】
【発明が解決しようとする課題】
上述した従来の流し台キャビネットの構造では、まず図６や図７に示したものは、排水管がキャビネット本体の背板寄りに配置されているので、引出しの奥行き寸法が大きく、十分な収納量が確保できるものの、実際の使用においては、一般に引出しの奥側に嵩張るものを収納することが多いため、不注意により、これらの嵩高い収納物が、シンクの下側に突出した排水トラップに接触し、倒れるおそれがあった。そして、この収納物が一升瓶などの場合には、倒れて内容物がこぼれたり、場合によっては、破損したりするおそれもあった。
【００１０】
また、このように一つの大きな引出しをキャビネット本体に出し入れ可能としたものは、一つの個所にまとめて収納できる反面、物の出し入れの際、引出しごとすべての収納物を移動させなくてはならず、その操作に力を要すると共に、引出しの前方にその開放のための大きなスペースを必要とし、例えば、シンクを使用しながら引出しの開閉が行えないという問題点もあった。
【００１１】
さらに、この流し台キャビネットの構造では、エルボー管を用いて排水経路を曲げなくてはならないので、その施工の手間を要すると共に、コストも高くなるという問題点があった。
【００１２】
また、図８に示したように、排水トラップの下方に垂直に排水管を取り付けた場合は、配管の接続個所が少ないので、施工が容易で、コストも低廉になるが、この排水管が邪魔になり、引出しの奥行き寸法が大きく取れず、その収納量が少なくなるという問題点があった。また、この場合も、キャビネット本体の前面を全て前方に引き出すので、シンクの使用中に引出しの開閉操作が行えないという問題点があった。
【００１３】
本発明は、上記従来の引出し式の流し台キャビネットが有していた問題点の解決を課題とする。
【００１４】
【課題を解決するための手段】
上記の課題を解決するために、本発明のうち、請求項１記載の発明は、前方が開口したキャビネット本体の上部にシンクが設けられ、キャビネット本体内にシンクからの排水を導く排水トラップと排水管が配設された流し台キャビネットの構造において、キャビネット本体の前面が、このキャビネット本体内に出し入れ自在に収納される一対の引出しの前板で開閉されるようにし、かつ、この一対の引出しを、上記排水管を挟んだ位置に収納されるように配置したことを特徴とする。
【００１５】
請求項２記載の発明は、前方が開口したキャビネット本体の上部にシンクが設けられ、キャビネット本体内にシンクからの排水を導く排水トラップと、この排水トラップにエルボー管を介して連結された排水管とが配設された流し台キャビネットの構造において、キャビネット本体の前面が、このキャビネット本体内に出し入れ自在に収納される一対の引出しの前板で開閉されるようにし、かつ、この一対の引出しを、上記排水トラップの下方で隣合って収納されるように配置したことを特徴とする。
【００１６】
【発明の実施の形態】
以下、本発明を図示した実施の形態に基づき詳細に説明する。
【００１７】
図１は、本発明の構造を有する流し台キャビネットの斜視図、図２は、この流し台キャビネットからワークトップ２とシンク３を取り外した状態を示す。図示したように本発明の流し台キャビネットの構造に用いられるキャビネット本体１は、前面と上面が開放された箱状に形成され、その上面には、隣接した収納キャビネット１０などの上面を一体的に覆うように、天板となるワークトップ２が取り付けられるようになっている。そして、このワークトップ２のキャビネット本体１を覆う個所には、シンク落し込み孔２ａが設けられ、ここにシンク３が下方に突出するように取り付けられるようになっている。
【００１８】
シンク３下側のキャビネット本体１内には、図３並びに図４に示すように、排水トラップ４とこの排水トラップ４に連続した排水管５が設けられ、この排水管５は、キャビネット本体１下側の蹴込み部１ａを貫通して床排水口（図示せず）に連通している。
【００１９】
また、キャビネット本体１の前面には、前板６ａがキャビネット本体１の前面板を兼ねる引出し６が、キャビネット本体１内に出し入れ自在に収納されるようになっている。ここにおいて、本発明の流し台キャビネットの構造では、この引出し６は、左右に一対設けられ、両者の前板６ａでキャビネット本体１の前面部分を構成するようになっている。
【００２０】
前板６ａの後方に連設された引出し６の本体部分は、上面が開放された箱状のもので、それぞれが、キャビネット本体１内に取り付けられた左右一対の伸縮式のスライドレール９，９の移動側に移動可能に取り付けられている。ここにおいて、左右一対のスライドレール９，９は、キャビネット本体１内に配設された排水管５を挟みこむように、その両側に設けられている。よって、このスライドレール９，９（９，９）で案内される一対の引出し６，６は、キャビネット本体１内に収納された際、排水管５を挟むように、その両側に位置し、その奥行き寸法が、排水管５で規制されることがない。
【００２１】
このように本発明の流し台キャビネットの構造では、キャビネット本体１内に出し入れ自在に収納される引出し６が、排水管５を避けるように左右に分かれて設けられているので、その奥行き寸法が排水管５で規制されることがなく、大きくとれ、十分な収納量を確保することができる。また、シンク３を使用している場合でも、片側づつ引出し６，６を開け閉めすることができ、便利で、かつ、その開閉操作も大きな一つの引出しのものに比し、軽快で操作性が良い。さらに、シンク３の下方に突出した排水トラップ４は、左右の引出し６，６間の上方に位置しているので、引出し６に嵩高い収納物（図示せず）を収納した場合でも、この排水トラップ４に不用意に接触するおそれがないものである。
【００２２】
なお、図において、符号６ｂは、引出し６の前板６ａに取り付けられた操作用の把手、１３は、キャビネット本体１の前面の開口の上側に取り付けられた幕板を示す。
【００２３】
また、７は、キャビネット本体１内の引出し６の上側に設けられた収納棚を示し、この収納棚７は、キャビネット本体１の内側壁１ｂに固定されたガイド金具８により、引出し６と同様にキャビネット本体１内に出し入れ自在に収納されるようになっている。この収納棚７は、必ずしも必要なものではないが、このようにキャビネット本体１の内側壁１ｂで支持されるように取り付けておけば、デッドスペースとなりがちなキャビネット本体１の内部上隅角空間の有効利用がはかられることとなり、望ましい。
【００２４】
図５は、本発明の流し台キャビネットの他の実施形態を示す断面図である。図示したように、この場合は、排水管５をエルボー管１１を用いて排水トラップ４の下端屈曲部１２に連結し、排水管５をキャビネット本体１の内部の後側に配置したものであり、他の構成は、前記実施形態のものと何ら変わるところはない。よって、この場合も引出し６の十分な収納量が確保されるにもかかわらず、引出し６の開閉操作が行い易く、また、収納物が排水トラップ４に接触し、倒れたり、破損したりするおそれがない。
【００２５】
【発明の効果】
以上説明したように、本発明のうち、請求項１記載の発明は、キャビネット本体の前面が、このキャビネット本体内に出し入れ自在に収納される一対の引出しの前板で開閉されるようにし、かつ、この一対の引出しを排水管を挟むように配置したので、引出しの奥行き寸法を大きくすることができ、十分な収納量を確保することができる。また、引出しを二つに分けることにより、シンクを使用した状態でもその片側づつ開閉することができ、便利であり、かつ、その開閉操作も軽快で操作性が良い。さらに、引出しの上側に排水トラップが位置していないので、嵩高い収納物を収納した場合でも、収納物が排水トラップに不用意に接触し、倒れたり、破損したりするおそれがなくなるという効果がある。
【００２６】
請求項２記載の発明は、エルボー管を介して排水管をキャビネット本体の後方寄りに配置することにより、キャビネット本体内の前側の空間が広くなるので、上記請求項１記載の発明の効果に加え、開放された一方の引出しの側から、他方の引出しに収納されている物の出し入れが容易に行えるという効果がある。また、例え、引出しの側方にはみ出すように物が収納されていたとしても、引出しの開閉操作により、排水管と接して引き倒されたり、周辺の収納物を散乱させたりするおそれがなく、開閉操作も円滑に行えるという効果がある。
【００２７】
請求項３記載の発明は、キャビネット本体の内側壁に、出し入れ可能な収納棚を設けることにより、上記両請求項記載の発明の効果に加え、デッドスペースとなりがちなキャビネット本体の内部上隅角空間の有効利用がはかられるという効果がある。
【図面の簡単な説明】
【図１】本発明の構造を有する流し台キャビネットの斜視図である。
【図２】図１に示した流し台キャビネットからワークトップとシンクを取り外した状態を示す。
【図３】図１に示した流し台キャビネットの正面図である。
【図４】図３のＡ−Ａ線断面図である。
【図５】本発明の他の実施形態による流し台キャビネットの断面図である。
【図６】流し台キャビネットの従来例を示した正面図である。
【図７】図６のＢ−Ｂ線断面図である。
【図８】流し台キャビネットの他の従来例を示した断面図である。
【符号の説明】
１  キャビネット本体
２  ワークトップ
３  シンク
４  排水トラップ
５  排水管
６  引出し
６ａ  引出しの前板
７  収納棚
８  ガイド金具
９  スライドレール
１０  収納キャビネット
１１  エルボー管
１２  下端屈曲部
【図１】
0004236794.tif 000002
【図２】
0004236794.tif 000003
【図３】
0004236794.tif 000004
【図４】
0004236794.tif 000005
【図５】
0004236794.tif 000006
【図６】
0004236794.tif 000007
【図７】
0004236794.tif 000008
【図８】
0004236794.tif 000009